(57)【要約】【課題】袋の強度を最低限にして、水底の所定の位置に静かに設置することができ、経済的、かつ確実性のある土砂又は土砂と固化材との混合物を詰めた袋体の水底への設置方法を提供する。【解決手段】台船５内に設けた上下貫通空間部６載置台７をおいて、水上又は水中で土砂等を袋詰めし、載置台７をはさんだ両側の台船５上にそれぞれ設けたウインチ８により載置台７を水底Ｂに向けて降下させ、水底Ｂに近い位置で載置台７を傾斜させることにより、土砂を詰めた袋体３を水底Ｂに降下させること。【選択図】　　　　図３
2004108085.tif 000002
【特許請求の範囲】
【請求項１】
台船又は浮体内に設けた上下貫通空間部、又は２台の台船又は浮体間に位置させた載置台上において、水上で土砂又は土砂と固化材との混合物を袋詰めし、載置台をはさんだ両側の台船又は浮体上にそれぞれ設けたウインチにより載置台を水底に向け降下させ、水底に近い位置で前記載置台を傾斜させるか、又は載置台を中央で二つ割りにして開放することにより、土砂又は土砂と固化材との混合物を詰めた袋体を水底に降下させる土砂又は土砂と固化材との混合物を詰めた袋体の水底への設置方法。
【請求項２】
台船又は浮体内に設けた上下貫通空間部、又は２台の台船又は浮体間に位置させた水密の水槽内の水中で土砂又は土砂と固化材との混合物を袋詰めし、水槽をはさんだ両側の台船又は浮体上にそれぞれ設けたウインチにより水槽を水底に向け降下させ、水底に近い位置で水槽を傾斜させるか、又は水槽を中央で二つ割りにして開放することにより、土砂又は土砂と固化材との混合物を詰めた袋体を水底に降下させる土砂又は土砂と固化材との混合物を詰めた袋体の水底への設置方法。
【請求項３】
水密の水槽に代えて底板または底板の周囲に網状や格子状のものを使用する請求項２記載の土砂又は土砂と固化材との混合物を詰めた袋体の水底への設置方法。
【発明の詳細な説明】
【０００１】
【発明の属する技術分野】
本発明は、土砂又は土砂と固化材との混合物を袋詰めにした土砂又は土砂と固化材との混合物を詰めた袋体を水底の所定の位置に静かに設置する土砂又は土砂と固化材との混合物を詰めた袋体の水底への設置方法に関する。
【０００２】
【従来の技術】
従来、水底にマウンド状構造体を作るため、土砂又は土砂とセメント等の固化材を混合した未固化体を布袋等の袋に中詰めし、水底の所定の位置に投下する種々の方法がとられている。
【０００３】
例えば、外国で行なわれている方法では、スプリットタイプの土運船の中で、土砂を袋詰めにして、水底に投下しているが、水底まで落下した時に生ずる衝撃に耐えるための充分な強度を有する高価な袋が必要で非経済的であるだけでなく、所定の位置に設置するのが難しく、しかも衝撃で袋が破損する欠点があった。
【０００４】
また、１トン程度の土砂を布袋に入れ、その土砂入り袋体を、袋ごと吊って水底に設置するか、またはその袋体を海中に投棄する方法も取られているが、中詰めの土砂の重量を袋で直に受けるため、それに耐える袋が必要となり、かなり高価な工法となっている。
【０００５】
【発明が解決しようとする課題】
本発明は、袋の強度を最低限にして、水底の所定の位置に静かに設置することができ、経済的で、しかも確実性のある土砂又は土砂と固化材との混合物を詰めた袋体の水底への設置方法を提供する。
【０００６】
【課題を解決するための手段】
本発明は、台船又は浮体内に設けた上下貫通空間部、又は２台の台船又は浮体間に位置させた水密の載置台上において、水上で土砂又は土砂と固化材との混合物を袋詰めし、載置台をはさんだ両側の台船又は浮体上にそれぞれ設けたウインチにより載置台を水底に向け降下させ、水底に近い位置で前記載置台を傾斜させるか、又は載置台を中央で二つ割りにして開放することにより、土砂又は土砂と固化材との混合物を詰めた袋体を水底に降下させる土砂又は土砂と固化材との混合物を詰めた袋体の水底への設置方法からなり、また台船又は浮体内に設けた上下貫通空間部、又は２台の台船又は浮体間に位置させた水槽内の水中で土砂又は土砂と固化材との混合物を袋詰めし、水槽をはさんだ両側の台船又は浮体上にそれぞれ設けたウインチにより水槽を水底に向け降下させ、水底に近い位置で水槽を傾斜させるか、又は水槽を中央で二つ割りにして開放することにより、土砂又は土砂と固化材との混合物を詰めた袋体を水底に降下させる土砂又は土砂と固化材との混合物を詰めた袋体の水底への設置方法からなる。
【０００７】
またさらに、本発明はその際に、水密の水槽に代えて底板または底板の周囲に網状や格子状のものを使用する土砂又は土砂と固化材との混合物を詰めた袋体の水底への設置方法をもその特徴としている。
【０００８】
【発明の実施の形態】
以下図面を参照して本発明の土砂又は土砂と固化材との混合物を詰めた袋体の水底への設置方法の各実施の形態につき説明する。
【０００９】
図１、図２及び図３はその一実施形態における土砂を詰めた袋体のスライド式設置方法を示す概略側面図であり、台船５の中央部にあけた４辺形の上下貫通空間部６または台船５の一舷側に設けた４片形状の上下貫通空間部６、さらには２台の台船５，５の間に設けた空間部６に、適宜な大きさの平面状の載置台７を、その左右に設けたウインチ８，８　を通過する吊りワイヤー９により吊下し、その載置台７上に不織布又は織布等の透水性の袋２を置き、その載置台７上において水上で土砂等を袋詰めし、その袋２を閉じた土砂を詰めた袋体３を載置した載置台７を図１のように台船５上の適宜な４点の位置から適宜なウインチ８で吊り下げ、それらのウインチ８により載置台７を水底に向け図２に示すように水平に降下させ、水底Ｂに近い位置で図３で示すように載置台７の片方のウインチ８の吊りワイヤー９を伸ばし、載置台７の片方を水底Ｂに近づけ、次に他方のウインチ８の吊りワイヤー９を巻き上げながら台船５をＦ方向に移動することにより、土砂を詰めた袋体３を載置台７上でスライドさせて、水底Ｂ上に静かに設置する。
【００１０】
ここで、上記の土砂を詰めた袋体３をスムースに水底Ｂ上に設置するためには、土砂を詰めた袋体３の端部が水底Ｂに着いた瞬間より、台船５の船体をその反対側、即ち図３の矢印Ｆで示す方向に引くように移動させるとよい。
【００１１】
なお、図１、図２及び図３において、１０で示すのは台船５を係留する固定用ワイヤーである。
【００１２】
次に、図４及び図５は本発明の他の実施形態における設置方法を示す概略側面図であり、この場合、前記図１の実施形態と同様に台船５に設けた載置台７を、中央部で割れるスプリットタイプ構造にし、図４の状態の載置台７を図５の水底Ｂ近くの適宜な位置まで水平に降下させ、載置台７を矢印Ｓのように中央部で２つ割りにして開放することにより、載置台７上の土砂を詰めた袋体３を水底Ｂの所定の位置に静かに設置するものであり、図１と前記図４とにおいて、それぞれ同じ部品は同じ符号で示している。
【００１３】
なお、前記載置台７において、袋２に土砂等を袋詰めする際に、載置台７を上記ウインチ８及び吊りワイヤー９を用いてある程度水中に降ろした水中状態で袋詰めをすれば、水中での浮力の作用により土砂の荷重による袋２及び載置台７にかかる負担が軽減され、袋体の破損を防止できる。
【００１４】
次に、図６から図１１について説明するが、これは前記の袋２内に土砂等を袋詰めする作業を水中で行なう本発明の他の実施形態であり、この場合に使用する設備は図６、図７に示す。図６はその概略正断面図であり、図７はその側断面図である。図７に示すように、台船又はユニフロート等で構成された浮体１２の中央部を矩形状に刳り抜いた上下貫通空間部１３に、水密の水槽１１を、浮体１２上に設けた昇降用のウインチ１４で吊り下げておく。
【００１５】
この水槽１１内には水を充填しておき、さらに前記の実施形態と同様の不織布や織布等の透水性の袋２をひろげておき、この水槽１１内の袋２の端部の土砂注入部等から土砂等を土砂注入ホース１６を経由して袋２内に注入し、所定量の土砂等の注入後に、注入口を縛り密閉する。
【００１６】
上記の土砂等の袋２内への注入は、水密の水槽１１内の水中環境にて行なわれるので袋詰めを水上で行なう場合に比べ、袋２にかかる張力は、水との比重差のみを受けることになり、袋２の必要強度は低減できる。
【００１７】
次に、上記の台船又は浮体１２上の昇降用のウインチ１４により水密の水槽１１を図６及び図７に示すごとく水底Ｂに向けて降下させ、水底Ｂに近い位置で図６に示す水密の水槽１１の転倒用のウインチ１５をまわしてワイヤー２０を引上げることにより水密の水槽１１を矢印Ｔのごとく傾斜、転倒させることにより、土砂詰め袋体３を水底Ｂに静かに降下し設置する。
【００１８】
図８は図６の浮体１２と水密の水槽１１を示す斜視図であり、図９は、図６の水密の水槽１１を矢印Ｔのごとく傾斜、転倒させて袋体３を水底Ｂに設置させる代わりに、水密の水槽１１の底部を適宜な脱着装置１８を浮体１２上から操作させることにより袋体３を水底Ｂに降下させて設置する場合を示している。
【００１９】
また、上記図６の実施形態では水密の水槽１１内に上下２段に袋２をひろげて、水中で土砂等を袋詰めしているが、図１０に示すように水密の水槽１１内に袋２を１段だけひろげて袋詰めしてもよい。
【００２０】
さらに、図１１に示すように、浮体１２の上下貫通空間部１３に位置させる水槽１１を２個または複数個に増やすことも可能であり、この場合、水槽１１の水底Ｂへの降下及び水底への袋体３の設置の作業を、左右の水槽１１について交互に行なうことにより作業能率を高めることができる。
【００２１】
以上のごとく、図６から図１１で説明した設置方法によれば、水槽１１内の水中で土砂等の袋詰めが行なわれるため、袋詰め時に発生する汚濁水の拡散を防止できるが、もし多少の汚濁が許容される場合は、水密の水槽１１ではなく、底板だけのもの、または底板の周囲に網状や格子状の側面を設けたものでもよい。
【００２２】
また、水密の水槽１１の形状を変更することにより、袋詰めされた袋体３の形状を適宜決めることができる。
【００２３】
さらに本発明では、前記のごとく載置台７上又は水槽１１内において袋詰めされる土砂に代えて、土砂とセメント等固化材との混合物を未固化体とすれば、水底Ｂに設置され、積み重ねた時には、袋詰めされた土砂と固化材との混合物が固化する前なので、土砂と固化材との混合物が互いに食い込み合い、強固なマウンド構造体を形成できる。
【００２４】
なお、図１２は前記図１、図４及び図６で説明した各実施形態による設置方法により土砂詰め袋体３を水底Ｂ上に整然と積み重ねてマウンド状構造体を形成した側面図である。
【００２５】
【発明の効果】
以上に説明した本発明の土砂又は土砂と固化材との混合物を詰めた袋体の水底への設置方法では、袋体を直に吊るのではなく、載置台又は水槽を採用することにより荷重を下から受ける方式となっているので、袋の強度を必要最小限とすることができ、全体的に経済的な設置方法を提供できる。
【００２６】
また、本発明では土砂又は土砂と固化材との混合物を詰めた袋体を所定の設置位置まで正確に持って行くことができ、しかも静かに設置ができ布袋等が破れる恐れがない。
【００２７】
さらに、袋詰めの土砂とセメント等の固化材との混合物を未固化体としておけば、設置して積み重ねた場合、固化する前なので、土砂と固化材との混合物が互いに食い込み合い、中詰め土砂が固化した時、全体として強固なマウンド構造体を形成でき、また一旦固化してしまえば、その後布袋等が破損しても、全体に与える影響がない。
【００２８】
また、本発明の方法では、袋体を水底に静かに設置できるので、水中の汚濁発生及びその拡散が防止でき、特に袋の材質に例えば不織布等を選択することにより、土砂等中の土粒子の水中拡散防止ができる。
【００２９】
なお、本発明の設置方法によれば、水深の深い水底に対しても土砂又は土砂と固化材との混合物を詰めた袋体を所定の位置に静かに設置できる。
【図面の簡単な説明】
【図１】本発明の設置方法の一実施形態における載置台を利用した土砂を詰めた袋体の設置方法の載置上の袋に土砂を中詰めした状態を示す概略側面図である。
【図２】図１の載置台をウインチと吊りワイヤーを使用して水底に降ろす状態の概略側面図である。
【図３】図２に続く、載置台を傾斜させ、土砂を詰めた袋体をスライドさせて水底に端部を接地させた概略側面図である。
【図４】本発明の他の実施形態における土砂を詰めた袋体のスプリット式載置台による水底への設置方法の載置台上の袋に土砂を中詰めした状態を示す概略側面図である。
【図５】図５に続く、載置台を二つ割りにして土砂を詰めた袋体を水底に設置時の状態の概略側面図である。
【図６】本発明の更に他の実施形態における土砂を詰めた袋体の水槽使用による水底への設置方法を示す概略正断面図である。
【図７】図６の概略側断面図である。
【図８】図１の概略上面斜視図である。
【図９】図６の水底低部の脱着装置の作動を示す概略正断面図である。
【図１０】図６の水槽内に袋体を１段重ねした例の概略側断面図である。
【図１１】図６の浮体の中央部に２個の水槽を位置させた例の概略正断面図である。
【図１２】図１、図４及び図６に示す各実施形態の方法により、水底に土砂を詰めた袋体のマウンドを形成時の概略側面図である。
【符号の説明】
３　　土砂を詰めた袋体
５　　台船
６　　上下貫通空間部
７　　載置台
８　　ウインチ
１１　　水槽
１２　　浮体
１３　　上下貫通空間部
１４　　ウインチ
Ｂ　　水底
【図１】
2004108085.tif 000003
【図２】
2004108085.tif 000004
【図３】
2004108085.tif 000005
【図４】
2004108085.tif 000006
【図５】
2004108085.tif 000007
【図６】
2004108085.tif 000008
【図７】
2004108085.tif 000009
【図８】
2004108085.tif 000010
【図９】
2004108085.tif 000011
【図１０】
2004108085.tif 000012
【図１１】
2004108085.tif 000013
【図１２】
2004108085.tif 000014